(57)【要約】チケット検索ベース情報提供方法及びデバイスが開示される。検索期間の旅行先に関連する第１の情報及びチケット情報は旅行先に従って取得され、貴重な参照情報は多次元データ情報によってユーザに提供され、ユーザは、本方法によって提供される第１の情報及びチケット情報によって旅行時間に関する基本的な決定を行い得る。要するに、本出願によって提供される方法を使用することによって、取得された第１の情報及びチケット情報等を含む多次元複合情報によって、本出願の技術は、ユーザが様々な観点から旅行時間を決定することを支援し得、情報検索におけるユーザ体験を改善し得る。サーバ端末とクライアント端末との間のやり取りの頻度及びサーバ端末を経由したクエリの頻度を減らし、したがって、サーバのプレッシャーを減らす。その一方で、ユーザは、より便利に、より簡単に、及びより速く、時間を選択し得、したがって、ユーザの予見能力を高め、ユーザ体験を改善する。
2020504409.tif 000002
【特許請求の範囲】
【請求項１】
チケット検索ベース情報提供方法であって、
ユーザのチケット検索要求を受信することであって、前記検索要求は検索目的地を含む、前記受信することと、
前記検索目的地に従って、検索する旅行先及び検索期間を判定することと、
前記旅行先及び前記検索期間に従って、前記検索期間の前記旅行先に関連する第１の情報及びチケット情報を取得することと、
検索結果の第１のユーザインタフェースを表示することであって、前記第１のユーザインタフェースは第１の情報表示エリア及びチケット情報表示エリアを含む多次元データ提示エリアを含み、前記検索期間の前記旅行先に関連する前記第１の情報は前記第１の情報表示エリア内に表示され、前記チケット情報は前記チケット情報表示エリア内に表示される、前記表示することと、
を含む、前記チケット検索ベース情報提供方法。
【請求項２】
前記チケット情報は、前記検索期間の様々な検索時点における前記旅行先までのチケット価格を含み、
前記チケット価格の変動傾向チャートは、前記チケット情報表示エリア内に表示される、
請求項１に記載のチケット検索ベース情報提供方法。
【請求項３】
前記チケット価格の前記変動傾向チャートは、バーチャート、カラムチャート、及びラインチャートのうちの１つに提示され、
前記検索期間における前記第１の情報の変動傾向は前記第１の情報表示エリア内に表示され、前記第１の情報の前記変動傾向チャートは、バーチャート、カラムチャート、円グラフ、及びラインチャートのうちの１つまたは組み合わせを使用する、請求項２に記載のチケット検索ベース情報提供方法。
【請求項４】
前記検索する旅行先を前記判定することは、
前記検索目的地がチケット関連情報を有するかどうかを判定することと、
前記検索目的地がチケット関連情報を有しないとき、前記検索目的地の関連都市を取得することであって、前記関連都市は、前記検索目的地との階層関係がある都市、前記検索目的地との地域的関連性がある都市、及び前記検索目的地に隣接する都市のうちの１つ以上の組み合わせを含む、前記取得することと、
前記検索目的地の前記関連都市に従って、前記旅行先を判定することと、
を含む、請求項１に記載のチケット検索ベース情報提供方法。
【請求項５】
前記第１の情報は、前記検索期間の様々な検索時点における前記旅行先の天気情報を含み、
前記検索期間の前記旅行先に関連する前記第１の情報を前記取得することは、前記検索期間の前記様々な検索時点における前記旅行先の前記天気情報と、前記天気情報の変動傾向とを取得することを含み、
前記検索期間の前記旅行先の前記天気情報の変動傾向チャートは、前記第１の情報表示エリア内に表示される、
請求項１に記載のチケット検索ベース情報提供方法。
【請求項６】
前記多次元データ提示エリアは、前記第１の情報表示エリアと、前記チケット情報表示エリアとを含み、さらに、
前記多次元データ提示エリア内で、前記検索期間におけるチケット価格の変動傾向チャートと、前記天気情報の前記変動傾向チャートとを提示することと、
前記チケット価格の前記変動傾向チャート及び前記天気情報の前記変動傾向チャートを、集約及び重ね合わせによって同じチャートに提示することと、
を含む、請求項５に記載のチケット検索ベース情報提供方法。
【請求項７】
前記第１の情報は前記検索期間の様々な検索時点における前記旅行先の旅行者数情報を含み、
前記検索期間の前記旅行先に関連する前記第１の情報を前記取得することは、
前記検索期間の前記様々な検索時点における前記旅行先の実旅行者数を取得することと、
前記検索期間の前記様々な検索時点における前記旅行先の予測旅行者数を取得することと、
前記実旅行者数及び前記予測旅行者数に従って、前記検索期間の前記様々な検索時点における前記旅行先の前記旅行者数情報と、前記検索期間における前記旅行者数情報の変動傾向とを判定することと、
前記第１の情報表示エリア内で、前記検索期間の前記様々な検索時点における前記旅行先の前記旅行者数情報の変動傾向チャートを表示することと、
を含む、請求項１に記載のチケット検索ベース情報提供方法。
【請求項８】
前記多次元データ提示エリアは、前記第１の情報表示エリアと、前記チケット情報表示エリアとを含み、さらに、
前記多次元データ提示エリア内で、前記検索期間におけるチケット価格の変動傾向チャートと、前記旅行者数情報の前記変動傾向チャートとを提示することと、
前記チケット価格の前記変動傾向チャート及び前記旅行者数情報の前記変動傾向チャートを、集約及び重ね合わせによって同じチャートに提示することと、
を含む、請求項７に記載のチケット検索ベース情報提供方法。
【請求項９】
前記検索期間の前記様々な検索時点における前記旅行先の前記予測旅行者数を前記取得することは、旅行プラットフォームに基づいて、前記旅行先を検索する独立訪問者数を取得することと、前記独立訪問者数を前記予測旅行者数として使用することと、を含み、
前記実旅行者数及び前記予測旅行者数に従って、前記検索期間の前記様々な検索時点における前記旅行先の前記旅行者数情報と、前記検索期間の前記旅行者数情報の前記変動傾向とを前記判定することは、
前記実旅行者数及び前記独立訪問者数を前記旅行者数情報として追加することと、
前記検索期間の前記様々な検索時点における前記旅行者数情報に従って、前記検索期間における前記旅行者数情報の変動傾向を判定することと、
を含む、請求項７に記載のチケット検索ベース情報提供方法。
【請求項１０】
前記第１の情報は前記旅行先のイベント情報を含み、
前記イベント情報は、前記旅行先の慣習的休日情報、前記旅行先のオフシーズンまたはピークの旅行シーズン情報、前記旅行先の推奨の旅行アトラクション情報、及び前記旅行先の開花シーズン情報のうちの１つ以上の組み合わせを含み、
前記検索期間の識別情報によって提示される前記イベント情報は、前記第１の情報表示エリア内に表示され、
前記検索期間におけるチケット価格の変動傾向チャート及び前記イベント情報の前記識別情報の変動傾向チャートは、前記多次元データ提示エリア内に提示される、
請求項１に記載のチケット検索ベース情報提供方法。
【請求項１１】
前記チケットは航空チケットであり、前記第１の情報は、天気情報、旅行者数情報、及びホテル情報のうちの１つ以上の組み合わせを含み、
前記検索期間におけるチケット価格の変動傾向チャート及び前記第１の情報の前記変動傾向チャートは、前記多次元データ表示エリア内に表示され、
前記チケット価格の前記変動傾向チャート及び前記第１の情報の前記変動傾向チャートは、集約及び重ね合わせによって同じチャートに異なる提示様式で提示され、前記提示様式はカラムチャート及びラインチャートを含む、
請求項１に記載のチケット検索ベース情報提供方法。
【請求項１２】
前記検索期間を前記判定することは、
システムの初期設定の期間を設定すること、または、現在のシステム時間に従って、前記検索期間の検索開始日を判定することと、前記判定された検索開始日及び初期設定で設定された検索時間長さに従って前記検索期間の検索終了日を判定することと、
１日または１ヶ月の計算単位で前記検索時間長さを計算することと、
を含む、請求項１に記載のチケット検索ベース情報提供方法。
【請求項１３】
前記方法は、さらに、事前に現在のシステム時間を取得することを含み、
前記検索結果の前記第１のユーザインタフェースを前記表示することであって、前記検索期間の前記旅行先に関連する前記第１の情報は前記第１の情報表示エリア内に表示され、前記チケット情報は前記チケット情報表示エリア内に表示される、前記表示することは、
前記検索期間の前記旅行先に関連する前記第１の情報を前記第１の情報表示エリア内にハイライトして表示することと、前記チケット情報を前記チケット情報表示エリア内にハイライトして表示することと、を含む、請求項１に記載のチケット検索ベース情報提供方法。
【請求項１４】
前記検索結果の前記第１のユーザインタフェースを前記表示した後に、前記方法は、さらに、
前記ユーザの観察要求を受信することであって、前記観察要求は前記検索期間の期間中の観察行動を含む、前記受信することと、
前記観察要求に従って、前記期間に含まれる特定時間に対応する第２の情報及びチケット情報をクエリすることと、
観察結果の第２のユーザインタフェースを表示することであって、前記第２のユーザインタフェースは第２の情報表示エリア及びチケット情報表示エリアを含み、前記特定時間に対応する前記旅行先に関連する前記第２の情報は前記第２の情報表示エリア内に表示され、前記チケット情報は前記チケット情報表示エリア内に表示される、前記表示することと、を含み、
前記特定時間に対応する前記旅行先に関連する前記第２の情報は、前記第１の情報に関連する情報を含む、請求項１に記載のチケット検索ベース情報提供方法。
【請求項１５】
チケット検索ベース情報提供方法であって、データベースが提供され、前記データベースは、旅行先と、前記旅行先に関連する第１の情報とを含み、前記第１の情報は多次元情報を含み、前記方法は、
前記旅行先及び検索期間を含む情報収集要求を受信することと、
前記旅行先及び前記検索期間に従って、前記検索期間の前記旅行先に関連する第１の情報及びチケット情報を収集することと、
前記検索期間の前記旅行先に関連する前記第１の情報及び前記チケット情報を含む情報取得応答を送信することと、
を含む、前記チケット検索ベース情報提供方法。
【請求項１６】
前記第１の情報は前記旅行先の天気情報を含み、
前記天気情報は、
前記検索期間の様々な検索時点における前記旅行先の前記天気情報を、前記データベースから収集することによって集められる、請求項１５に記載のチケット検索ベース情報提供方法。
【請求項１７】
前記第１の情報は前記旅行先の旅行者数情報を含み、
前記旅行者数情報は、
前記検索期間の前記様々な検索時点における前記旅行先の実旅行者数を前記データベースから収集することと、
前記検索期間の前記様々な検索時点における前記旅行先の予測旅行者数を前記データベースから収集することと、
前記実旅行者数及び前記予測旅行者数に従って、前記検索期間の前記様々な検索時点における前記旅行者数情報を判定することと、によって集められる、請求項１５に記載のチケット検索ベース情報提供方法。
【請求項１８】
前記実旅行者数及び前記予測旅行者数に従って、前記検索期間の前記様々な検索時点における前記旅行者数情報を前記判定することは、
前記実旅行者数及び前記予測旅行者数を追加することによって、前記旅行者数情報を判定すること、または、
各々、前記実旅行者数及び前記予測旅行者数に関する対応する重み付けを設定することと、前記重み付けされた実旅行者数及び前記重み付けされた予測旅行者数を追加することによって前記旅行者数情報を判定することと、
を含む、請求項１７に記載のチケット検索ベース情報提供方法。
【請求項１９】
前記チケットは航空チケットを含み、前記チケット情報は前記検索期間の航空チケットの価格を含み、
前記検索期間の前記旅行先に関連する前記チケット情報を前記取得することは、前記検索期間の様々な検索時点における旅行出発地から前記旅行先までの前記航空チケットの前記価格を取得することを含む、請求項１５に記載のチケット検索ベース情報提供方法。
【請求項２０】
情報取得応答を送信した後に、さらに、
時間オブジェクトに関する観察要求を受信するかどうかを判定することであって、前記観察要求は前記観察要求の前記時間オブジェクトに対応するエリアを含む、前記判定することと、
時間オブジェクトに関する観察要求が受信されたとき、前記観察要求の前記時間オブジェクトに従って、前記時間オブジェクトに対応する第２の情報及びチケット情報をクエリすることと、
前記時間オブジェクトに対応する前記第２の情報及び前記チケット情報を含む観察応答を送信することであって、前記第２の情報は前記第１の情報に関連する情報である、前記送信することと、
を含む、請求項１５に記載のチケット検索ベース情報提供方法。
【請求項２１】
チケット検索ベース情報提供デバイスであって、
ユーザのチケット検索要求を受信するように構成されている受信ユニットであって、前記検索要求は検索目的地を含む、前記受信ユニットと、
前記検索目的地に従って、検索する旅行先及び検索期間を判定するように構成されている判定ユニットと、
前記旅行先及び前記検索期間に従って、前記検索期間の前記旅行先に関連する第１の情報及びチケット情報を取得するように構成されている取得ユニットと、
検索結果の第１のユーザインタフェースを表示するように構成されている表示ユニットであって、前記第１のユーザインタフェースは第１の情報表示エリア及びチケット情報表示エリアを含む多次元データ提示エリアを含み、前記検索期間の前記旅行先に関連する前記第１の情報は前記第１の情報表示エリア内に表示され、前記チケット情報は前記チケット情報表示エリア内に表示される、前記表示ユニットと、
を備える、前記チケット検索ベース情報提供デバイス。
【請求項２２】
前記判定ユニットは、
前記検索目的地がチケット関連情報を有するかどうかを判断するように構成されている判定サブユニットと、
前記判定サブユニットの判断結果が否定的であるとき、前記検索目的地の関連都市を取得するように構成されている関連都市取得サブユニットであって、前記関連都市は、前記検索目的地との階層関係がある都市、前記検索目的地との地域的関連性がある都市、及び前記検索目的地に隣接する都市のうちの１つ以上の組み合わせを含む、前記関連都市取得サブユニットと、
前記検索目的地の前記関連都市に従って、前記旅行先を判定するように構成されている目的地判定サブユニットと、
を備える、請求項２１に記載のチケット検索ベース情報提供デバイス。
【請求項２３】
前記チケットは航空チケットであり、前記第１の情報は、天気情報、旅行者数情報、及びホテル情報のうちの１つ以上の組み合わせを含み、
前記検索期間におけるチケット価格の変動傾向チャート及び前記第１の情報の前記変動傾向チャートは、前記多次元データ表示エリア内に表示され、
前記チケット価格の前記変動傾向チャート及び前記第１の情報の前記変動傾向チャートは、集約及び重ね合わせによって同じチャートに異なる提示様式で提示され、前記提示様式はカラムチャート及びラインチャートを含む、
請求項２１に記載のチケット検索ベース情報提供デバイス。
【請求項２４】
チケット検索ベース情報提供デバイスであって、データベースが提供され、前記データベースは、旅行先と、前記旅行先に関連する第１の情報とを含み、前記第１の情報は多次元情報を含み、前記デバイスは、
前記旅行先及び検索期間を含む情報収集要求を受信するように構成されている受信ユニットと、
前記旅行先及び前記検索期間に従って、前記検索期間の前記旅行先に関連する第１の情報及びチケット情報を収集するように構成されている取得ユニットと、
前記検索期間の前記旅行先に関連する前記第１の情報及び前記チケット情報を含む情報取得応答を送信するように構成されている送信ユニットと、
を含む、前記チケット検索ベース情報提供デバイス。
【請求項２５】
前記第１の情報は前記旅行先の天気情報を含み、
前記取得ユニットは、具体的には、前記検索期間の様々な検索時点における前記旅行先の前記天気情報を、前記データベースから収集するように構成されている、請求項２４に記載のチケット検索ベース情報提供デバイス。
【請求項２６】
前記第１の情報は前記旅行先の旅行者数情報を含み、
前記取得ユニットは、
前記検索期間の前記様々な検索時点における前記旅行先の実旅行者数を前記データベースから収集するように構成されている実旅行者数サブユニットと、
前記検索期間の前記様々な検索時点における前記旅行先の予測旅行者数を前記データベースから収集するように構成されている予測旅行者数サブユニットと、
前記実旅行者数及び前記予測旅行者数に従って、前記検索期間の前記様々な検索時点における前記旅行者数情報を判定するように構成されている旅行者数情報サブユニットと、
を備える、請求項２４に記載のチケット検索ベース情報提供デバイス。
【請求項２７】
前記情報取得応答を送信した後に時間オブジェクトに関する観察要求を受信するかどうかを判断するように構成されている判定ユニットであって、前記観察要求は前記観察要求の前記時間オブジェクトに対応するエリアを含む、前記判定ユニットと、
前記判定ユニットの判断結果が肯定的であるとき、前記観察要求の前記時間オブジェクトに従って、前記時間オブジェクトに対応する第２の情報及びチケット情報をクエリするように構成されているクエリユニットと、
前記時間オブジェクトに対応する前記第２の情報及び前記チケット情報を含む観察応答を送信するように構成されている送信ユニットであって、前記第２の情報は前記第１の情報に関連する情報である、前記送信ユニットと、
をさらに備える、請求項２４に記載のチケット検索ベース情報提供デバイス。
【請求項２８】
チケット検索ベース情報提供方法であって、
クライアント端末によって、ユーザのチケット検索要求を受信することであって、前記検索要求は検索目的地を含む、前記受信することと、
第２の検索要求をサーバ端末に送信することであって、前記第２の検索要求は、出発地と、前記検索目的地に従って判定された前記検索目的地に関連する旅行先及び検索期間とを含む、前記送信することと、
前記サーバ端末によって戻された検索結果を受信することであって、前記検索結果は前記検索期間の前記旅行先に関連する第１の情報及びチケット情報を含む、前記受信することと、
前記チケット検索要求に対応する前記検索結果の第１のユーザインタフェースを表示することであって、前記第１のユーザインタフェースは第１の情報表示エリア及びチケット情報表示エリアを含む多次元データ提示エリアを含み、前記検索期間の前記旅行先に関連する前記第１の情報は前記第１の情報表示エリア内に表示され、前記チケット情報は前記チケット情報表示エリア内に表示される、前記表示することと、
を含む、前記チケット検索ベース情報提供方法。
【請求項２９】
チケット検索ベース情報提供方法であって、データベースが提供され、前記データベースは、旅行先と、前記旅行先に関連する第１の情報とを含み、前記方法は、
クライアント端末によって送信された検索要求を受信することであって、前記検索要求は、出発地、旅行先、及び検索期間を含む、前記受信することと、
前記検索期間の前記旅行先に関連する第１の情報及びチケット情報を取得することと、
検索結果を前記クライアント端末に戻すことであって、前記検索結果は前記検索期間の前記旅行先に関連する前記第１の情報及び前記チケット情報を含む、前記戻すことと、
を含む、前記チケット検索ベース情報提供方法。
【請求項３０】
チケット検索ベース情報提供方法であって、
クライアント端末によって、ユーザのチケット検索要求を受信することであって、前記検索要求は検索目的地を含む、前記受信することと、
第２の検索要求をサーバ端末に送信することであって、前記第２の検索要求は、出発地、旅行先、及び検索期間を含む、前記送信することと、
前記サーバ端末によって戻された検索結果を受信することであって、前記検索結果は前記検索期間の前記旅行先に関連する第１の情報及びチケット情報を含み、前記旅行先は前記検索目的地と関連付けられる、前記受信することと、
前記チケット検索要求に対応する前記検索結果の第１のユーザインタフェースを表示することであって、前記第１のユーザインタフェースは第１の情報表示エリア及びチケット情報表示エリアを含む多次元データ提示エリアを含み、前記検索期間の前記旅行先に関連する前記第１の情報は前記第１の情報表示エリア内に表示され、前記チケット情報は前記チケット情報表示エリア内に表示される、前記表示することと、
を含む、前記チケット検索ベース情報提供方法。
【請求項３１】
チケット検索ベース情報提供方法であって、データベースが提供され、前記データベースは、旅行先と、前記旅行先に関連する第１の情報と、目的地間の対応関係とを含み、前記方法は、
クライアント端末によって送信された検索要求を受信することであって、前記検索要求は、出発地、検索目的地、及び検索期間を含む、前記受信することと、
前記検索期間に従って、前記検索目的地に関連する前記旅行先を判定することと、
前記検索期間の前記旅行先に関連する第１の情報及びチケット情報を取得することと、
検索結果を前記クライアント端末に戻すことであって、前記検索結果は前記検索期間の前記旅行先に関連する前記第１の情報及び前記チケット情報を含む、前記戻すことと、
を含む、前記チケット検索ベース情報提供方法。
【発明の詳細な説明】
【技術分野】
【０００１】
本出願は、２０１７年１月４日に出願され、「ＭＥＴＨＯＤ  ＡＮＤ  ＤＥＶＩＣＥ  ＦＯＲ  ＰＲＯＶＩＤＩＮＧ  ＩＮＦＯＲＭＡＴＩＯＮ  ＢＡＳＥＤ  ＯＮ  ＴＩＣＫＥＴ  ＳＥＡＲＣＨ」と題する、中国特許出願第２０１７１０００３１５８．８号の優先権を主張し、その全体が参照により本明細書に組み込まれる。
【０００２】
本出願は、インターネットデータ処理技術の分野に関し、より具体的には、チケット検索に基づく情報を提供するための方法及びデバイスに関する。
【背景技術】
【０００３】
観光産業の発展及び増大に伴って、旅行者は、ますます、旅行の品質に多くの注意を払うようになっており、それにより、旅行時間を貴重に思うようになっている。現在、より多くの旅行者が、インターネットで航空チケットを予約し得る。特定の目的地がある旅行者に関して、例えば、日本に行きたいが、出発時間が決まっていなく、何時でも旅行に出発してもよい場合、旅行者は、多くの情報を参照して最終的な旅行時間を決定するだろう。人々の生活水準が改善されるにつれて、価格だけが、ユーザにとって旅行時間を決定する要因ではない。航空チケットの価格に加えて、ユーザは、また、決定を行うとき、より貴重な参照情報を有することを望む。例えば、チケットが最安価格であるとき、海で遊ぶのに不適切である場合がある地方の雨季であり得る、または、このときの地方の天候及び温度は旅行に不適切である等がある。あるいは、ユーザは、具体的には、ある期間に地方に旅行するのに適切であることが知らされる。例えば、地方のソンクラン祭りが２週間後に開催される予定があるとき、ユーザは、このとき、その祭りを経験及び参加するためにそこに行く場合がある。
【０００４】
しかしながら、上記のその時点の参照情報は、複数のチャネルによって取得されることが必要となり、包括的に検討した後、旅行時間を決定し得る。複数のチャネルによる関連情報の取得は、情報を見つけるために非常に面倒及び複雑である問題を生じさせるだけではなく、サーバとクライアント端末との間でクエリを行い、それらの間のやり取りの数を増加させるためにサーバへの複数の繰り返しのアクセスを必要とし、結果として、サーバの大きな負担等の問題を生じさせる。さらに、ユーザ体験は考慮されない。
【発明の概要】
【０００５】
従来の技術の上記の問題を解決するために、チケット検索ベース情報提供方法が本出願に提供される。
【０００６】
チケット検索ベース情報提供デバイスは、さらに、本出願に提供される。
【０００７】
チケット検索ベース情報提供方法は、本出願に提供され、
ユーザのチケット検索要求を受信することであって、検索要求は検索目的地を含む、当該受信することと、
検索目的地に従って、検索する旅行先及び検索期間を判定することと、
旅行先及び検索期間に従って、検索期間の旅行先に関連する第１の情報及びチケット情報を取得することと、
検索結果の第１のユーザインタフェースを表示することであって、第１のユーザインタフェースは第１の情報表示エリア及びチケット情報表示エリアを含む多次元データ提示エリアを含み、検索期間の旅行先に関連する第１の情報は第１の情報表示エリア内に表示され、チケット情報はチケット情報表示エリア内に表示される、当該表示することと、
を含む。
【０００８】
随意に、チケット情報は、検索期間の様々な検索時点における旅行先までのチケット価格を含み、
チケット価格の変動傾向チャートは、チケット情報表示エリア内に表示される。
【０００９】
随意に、チケット価格の変動傾向チャートは、バーチャート、カラムチャート、及びラインチャートのうちの１つで提示され、
検索期間における旅行先の第１の情報の変動傾向は第１の情報表示エリア内に表示され、第１の情報の変動傾向チャートは、バーチャート、カラムチャート、円グラフ、及びラインチャートのうちの１つまたは組み合わせを使用する。
【００１０】
随意に、検索する旅行先を判定することは、
検索目的地がチケット関連情報を有するかどうかを判定することと、
検索目的地がチケット関連情報を有しないとき、検索目的地の関連都市を取得することであって、関連都市は、検索目的地との階層関係がある都市、検索目的地との地域的関連性がある都市、及び検索目的地に隣接する都市のうちの１つ以上の組み合わせを含む、当該取得することと、
検索目的地の関連都市に従って、旅行先を判定することと、
を含む。
【００１１】
随意に、第１の情報は、検索期間の様々な検索時点における旅行先の天気情報を含み、
検索期間の旅行先に関連する第１の情報を取得することは、検索期間の様々な検索時点における旅行先の天気情報と、天気情報の変動傾向とを取得することを含み、
検索期間の旅行先の天気情報の変動傾向チャートは、第１の情報表示エリア内に表示される。
【００１２】
随意に、多次元データ提示エリアは、第１の情報表示エリアと、チケット情報表示エリアとを含み、本方法は、
多次元データ提示エリア内で、検索期間におけるチケット価格の変動傾向チャートと、天気情報の変動傾向チャートとを提示することと、
チケット価格の変動傾向チャート及び天気情報の変動傾向チャートを、集約及び重ね合わせによって同じチャートに提示することと、
を含む。
【００１３】
随意に、第１の情報は、検索期間の様々な検索時点における旅行先の旅行者数情報を含み、
検索期間の旅行先に関連する第１の情報を取得することは、
検索期間の様々な検索時点における旅行先の実旅行者数を取得することと、
検索期間の様々な検索時点における旅行先の予測旅行者数を取得することと、
実旅行者数及び予測旅行者数に従って、検索期間の様々な検索時点における旅行先の旅行者数情報と、検索期間における旅行者数情報の変動傾向とを判定することと、
第１の情報表示エリア内で、検索期間の様々な検索時点における旅行先の旅行者数情報の変動傾向チャートを表示することと、
を含む。
【００１４】
随意に、多次元データ提示エリアは、第１の情報表示エリアと、チケット情報表示エリアとを含み、本方法は、
多次元データ提示エリア内で、検索期間におけるチケット価格の変動傾向チャートと、旅行者数情報の変動傾向チャートとを提示することと、
チケット価格の変動傾向チャート及び旅行者数情報の変動傾向チャートを、集約及び重ね合わせによって同じチャートに提示することと、
を含む。
【００１５】
随意に、検索期間の様々な検索時点における旅行先の予測旅行者数を取得することは、旅行プラットフォームに基づいて、旅行先を検索する独立訪問者数を取得することと、独立訪問者数を予測旅行者数として使用することとを含み、
実旅行者数及び予測旅行者数に従って、検索期間の様々な検索時点における旅行先の旅行者数情報と、検索期間における旅行者数情報の変動傾向とを判定することは、
実旅行者数及び独立訪問者数を旅行者数情報として追加することと、
検索期間の様々な検索時点における旅行者数情報に従って、検索期間における旅行者数情報の変動傾向を判定することと、
を含む。
【００１６】
随意に、第１の情報は旅行先のイベント情報を含み、
イベント情報は、旅行先の慣習的休日情報、旅行先のオフシーズンまたはピークの旅行シーズン情報、旅行先の推奨の旅行アトラクション情報、及び旅行先の開花シーズン情報のうちの１つ以上の組み合わせを含み、
検索期間の識別情報によって提示されるイベント情報は、第１の情報表示エリア内に表示され、
検索期間におけるチケット価格の変動傾向チャート及びイベント情報の識別情報の変動傾向チャートは、多次元データ表示エリア内に提示される。
【００１７】
随意に、チケットは航空チケットであり、第１の情報は、天気情報、旅行者数情報、及びホテル情報のうちの１つ以上の組み合わせを含み、
検索期間におけるチケット価格の変動傾向チャート及び第１の情報の変動傾向チャートは、多次元データ表示エリア内に表示され、
チケット価格の変動傾向チャート及び第１の情報の変動傾向チャートは、集約及び重ね合わせによって同じチャートに異なる提示様式で提示され、提示様式はカラムチャート及びラインチャートを含む。
【００１８】
随意に、検索期間を判定することは、
本システムによって初期設定期間を設定すること、または、
現在のシステム時間に従って、検索期間の検索開始日を判定することと、判定された検索開始日及び初期設定で設定された検索時間長さに従って検索期間の検索終了日を判定することと、
数日または数ヶ月の計算単位で検索時間長さを計算することと、
を含む。
【００１９】
随意に、現在のシステム時間を事前に取得し、
検索結果の第１のユーザインタフェースを表示することであって、検索期間の旅行先に関連する第１の情報は第１の情報表示エリア内に表示され、チケット情報はチケット情報表示エリア内に表示される、当該表示することは、
検索期間の旅行先に関連する第１の情報を第１の情報表示エリア内にハイライトして表示することと、チケット情報をチケット情報表示エリア内にハイライトして表示することとを含む。
【００２０】
随意に、検索結果の第１のユーザインタフェースを表示した後に、本方法は、
ユーザの観察要求を受信することであって、観察要求は検索期間の期間中の観察行動を含む、当該受信することと、
観察要求に従って、期間に含まれる特定時間に対応する第２の情報及びチケット情報をクエリすることと、
観察結果の第２のユーザインタフェースを表示することであって、第２のユーザインタフェースは第２の情報表示エリア及びチケット情報表示エリアを含み、特定時間に対応する旅行先に関連する第２の情報は第２の情報表示エリア内に表示され、チケット情報はチケット情報表示エリア内に表示される、当該表示することと、を含み、
特定時間に対応する旅行先に関連する第２の情報は、第１の情報に関連する情報を含む。
【００２１】
チケット検索ベース情報提供方法はさらに本出願に提供され、データベースが提供され、データベースは、旅行先と、旅行先に関連する第１の情報とを含み、第１の情報は多次元情報を含み、
本方法は、
旅行先及び検索期間を含む情報収集要求を受信することと、
旅行先及び検索期間に従って、検索期間の旅行先に関連する第１の情報及びチケット情報を収集することと、
検索期間の旅行先に関連する第１の情報及びチケット情報を含む情報取得応答を送信することと、
を含む。
【００２２】
随意に、第１の情報は旅行先の天気情報を含み、天気情報は、
検索期間の様々な検索時点における旅行先の天気情報を、データベースから収集することによって集められる。
【００２３】
随意に、第１の情報は旅行先の旅行者数情報を含み、旅行者数情報は、
検索期間の様々な検索時点における旅行先の実旅行者数をデータベースから収集することと、
検索期間の様々な検索時点における旅行先の予測旅行者数をデータベースから収集することと、
実旅行者数及び予測旅行者数に従って、検索期間の様々な検索時点における旅行者数情報を判定することと、
によって集められる。
【００２４】
随意に、実旅行者数及び予測旅行者数に従って、検索期間の様々な検索時点における旅行者数情報を判定することは、
実旅行者数及び予測旅行者数を追加することによって、旅行者数情報を判定すること、または、
各々、実旅行者数及び予測旅行者数に関する対応する重み付けを設定することと、重み付けされた実旅行者数及び重み付けされた予測旅行者数を追加することによって旅行者数情報を判定することと、
を含む。
【００２５】
随意に、チケットは航空チケットを含み、チケット情報は検索期間の航空チケット価格を含み、
検索期間の旅行先に関連するチケット情報を取得することは、検索期間の様々な検索時点における旅行出発地から旅行先までの航空チケットの価格を取得することを含む。
【００２６】
随意に、情報取得応答を送信した後に、以下の動作が行われる。すなわち、
時間オブジェクトに関する観察要求を受信するかどうかを判定することであって、観察要求は観察要求の時間オブジェクトに対応するエリアを含む、当該判定することと、
時間オブジェクトに関する観察要求が受信されたとき、観察要求の時間オブジェクトに従って、時間オブジェクトに対応する第２の情報及びチケット情報をクエリすることと、
時間オブジェクトに対応する第２の情報及びチケット情報を含む観察応答を送信することであって、第２の情報は第１の情報に関連する情報である、当該送信することと、
である。
【００２７】
チケット検索ベース情報提供デバイスは、さらに、本出願に提供され、
ユーザのチケット検索要求を受信するように構成されている受信ユニットであって、検索要求は検索目的地を含む、当該受信ユニットと、
検索目的地に従って、検索する旅行先及び検索期間を判定するように構成されている判定ユニットと、
旅行先及び検索期間に従って、検索期間の旅行先に関連する第１の情報及びチケット情報を取得するように構成されている取得ユニットと、
検索結果の第１のユーザインタフェースを表示するように構成されている表示ユニットであって、第１のユーザインタフェースは第１の情報表示エリア及びチケット情報表示エリアを含む多次元データ提示エリアを含み、検索期間の旅行先に関連する第１の情報は第１の情報表示エリア内に表示され、チケット情報はチケット情報表示エリア内に表示される、当該表示ユニットと、
を含む。
【００２８】
随意に、判定ユニットは、
検索目的地がチケット関連情報を有するかどうかを判断するように構成されている判定サブユニットと、
判定サブユニットの判断結果が否定的であるとき、検索目的地の関連都市を取得するように構成されている関連都市取得サブユニットであって、関連都市は、検索目的地との階層関係がある都市、検索目的地との地域的関連性がある都市、及び検索目的地に隣接する都市のうちの１つ以上の組み合わせを含む、当該関連都市取得サブユニットと、
検索目的地の関連都市に従って、旅行先を判定するように構成されている目的地判定サブユニットと、
を含む。
【００２９】
随意に、チケットは航空チケットであり、第１の情報は、天気情報、旅行者数情報、及びホテル情報のうちの１つ以上の組み合わせを含み、
検索期間におけるチケット価格の変動傾向チャート及び第１の情報の変動傾向チャートは、多次元データ表示エリア内に表示され、
チケット価格の変動傾向チャート及び第１の情報の変動傾向チャートは、集約及び重ね合わせによって同じチャートに異なる提示様式で提示され、提示様式はカラムチャート及びラインチャートを含む。
【００３０】
チケット検索ベース情報提供デバイスはさらに本出願に提供され、データベースが提供され、旅行先と、旅行先に関連する第１の情報とを含み、第１の情報は多次元情報を含み、
本デバイスは、
旅行先及び検索期間を含む情報収集要求を受信するように構成されている受信ユニットと、
旅行先及び検索期間に従って、検索期間の旅行先に関連する第１の情報及びチケット情報を収集するように構成されている取得ユニットと、
検索期間の旅行先に関連する第１の情報及びチケット情報を含む情報取得応答を送信するように構成されている送信ユニットと、
を含む。
【００３１】
随意に、第１の情報は旅行先の天気情報を含み、
取得ユニットは、具体的には、検索期間の様々な検索時点における旅行先の天気情報を、データベースから収集するように構成されている。
【００３２】
随意に、第１の情報は旅行先の旅行者数情報を含み、
取得ユニットは、
検索期間の様々な検索時点における旅行先の実旅行者数をデータベースから収集するように構成されている実旅行者数サブユニットと、
検索期間の様々な検索時点における旅行先の予測旅行者数をデータベースから収集するように構成されている予測旅行者数サブユニットと、
実旅行者数及び予測旅行者数に従って、検索期間の様々な検索時点における旅行者数情報を判定するように構成されている旅行者数情報サブユニットと、
を含む。
【００３３】
随意に、本デバイスは、さらに、
情報取得応答を送信した後に時間オブジェクトに関する観察要求を受信するかどうかを判断するように構成されている判定ユニットであって、観察要求は観察要求の時間オブジェクトに対応するエリアを含む、当該判定ユニットと、
判定ユニットの判断結果が肯定的であるとき、観察要求の時間オブジェクトに従って、時間オブジェクトに対応する第２の情報及びチケット情報をクエリするように構成されているクエリユニットと、
時間オブジェクトに対応する第２の情報及びチケット情報を含む観察応答を送信するように構成されている送信ユニットであって、第２の情報は第１の情報に関連する情報である、当該送信ユニットと、
を含む。
【００３４】
チケット検索ベース情報提供方法は、さらに、本出願に提供され、
クライアント端末によって、ユーザのチケット検索要求を受信することであって、検索要求は検索目的地を含む、当該受信することと、
第２の検索要求をサーバ端末に送信することであって、第２の検索要求は、出発地と、検索目的地に従って判定された検索目的地に関連する旅行先及び検索期間とを含む、当該送信することと、
サーバ端末によって戻された検索結果を受信することであって、検索結果は、検索期間の旅行先に関連する第１の情報及びチケット情報を含む、当該受信することと、
チケット検索要求に対応する検索結果の第１のユーザインタフェースを表示することであって、第１のユーザインタフェースは第１の情報表示エリア及びチケット情報表示エリアを含む多次元データ提示エリアを含み、検索期間の旅行先に関連する第１の情報は第１の情報表示エリア内に表示され、チケット情報はチケット情報表示エリア内に表示される、当該表示することと、
を含む。
【００３５】
チケット検索ベース情報提供デバイスはさらに本出願に提供され、データベースが提供され、旅行先と、旅行先に関連する第１の情報とを含み、
本方法は、
クライアント端末によって送信された検索要求を受信することであって、検索要求は、出発地、旅行先、及び検索期間を含む、当該受信することと、
検索期間の旅行先に関連する第１の情報及びチケット情報を取得することと、
検索結果をクライアント端末に戻すことであって、検索結果は検索期間の旅行先に関連する第１の情報及びチケット情報を含む、当該戻すことと、
を含む。
【００３６】
チケット検索ベース情報提供方法は、さらに、本出願に提供され、
クライアント端末によって、ユーザのチケット検索要求を受信することであって、検索要求は検索目的地を含む、当該受信することと、
第２の検索要求をサーバ端末に送信することであって、第２の検索要求は、出発地、旅行先、及び検索期間を含む、当該送信することと、
サーバ端末によって戻された検索結果を受信することであって、検索結果は、検索期間の旅行先に関連する第１の情報及びチケット情報を含み、旅行先は検索目的地と関連付けられる、当該受信することと、
チケット検索要求に対応する検索結果の第１のユーザインタフェースを表示することであって、第１のユーザインタフェースは第１の情報表示エリア及びチケット情報表示エリアを含む多次元データ提示エリアを含み、検索期間の旅行先に関連する第１の情報は第１の情報表示エリア内に表示され、チケット情報はチケット情報表示エリア内に表示される、当該表示することと、
を含む。
【００３７】
チケット検索ベース情報提供デバイスはさらに本出願に提供され、データベースが提供され、旅行先と、旅行先に関連する第１の情報と、目的地間の対応関係とを含み、
本方法は、
クライアント端末によって送信された検索要求を受信することであって、検索要求は、出発地、検索目的地、及び検索期間を含む、当該受信することと、
検索期間に従って、検索目的地に関連する旅行先を判定することと、
検索期間の旅行先に関連する第１の情報及びチケット情報を取得することと、
検索結果をクライアント端末に戻すことであって、検索結果は、検索期間の旅行先に関連する第１の情報及びチケット情報を含む、当該戻すことと、
を含む。
【００３８】
従来の技術と比較して、本発明は以下の利点がある。
【００３９】
チケット検索ベース情報提供方法は、本出願に提供される。本発明の場合、検索期間の旅行先に関連する第１の情報及びチケット情報は旅行先に従って取得され、第１の情報及び第２の情報は多次元データ情報によってユーザに貴重な参照情報を提供し得、多次元データ情報は、目的地までの移動を考慮する必要である重要なキー情報である。したがって、ユーザは、本方法によって提供される第１の情報及びチケット情報によって旅行時間に関する基本的な決定を行い得る。要するに、取得された第１の情報及びチケット情報等を含む多次元複合情報により本出願によって提供される方法を使用することによって、本方法は、ユーザが様々な観点から旅行時間を決定することを支援し得、情報検索のユーザ体験を改善し得る。本方法は、サーバ端末とクライアント端末との間の相互作用の頻度及びサーバ端末を経由したクエリの頻度を減らし、したがって、サーバのプレッシャーを減らす。その一方で、ユーザは、より便利に、より簡単に、及びより速く、時間を選択し得、したがって、ユーザの予見能力を高め、ユーザ体験を改善する。
【図面の簡単な説明】
【００４０】
【図１】本出願の実施形態１による、チケット検索ベース情報提供方法のフローチャートである。
【図２】実施形態１に提供される方法を航空チケットシナリオに適用する概略図である。
【図３】本出願の実施形態１による、包括的情報提示の概略図である。
【図４】本出願の実施形態１による、参照情報提示の概略図である。
【図５】本出願の実施形態２による、チケット検索ベース情報提供方法のフローチャートである。
【図６】本出願の実施形態３による、チケット検索ベース情報提供デバイスの概略的構造図である。
【図７】本出願の実施形態４による、チケット検索ベース情報提供方デバイスの概略的構造図である。
【発明を実施するための形態】
【００４１】
チケット検索ベース情報提供方法が本出願の実施形態１に提供され、主に、ユーザにチケット検索に関する参照情報を提供し得、それにより、ユーザは、チケット検索中に多次元データ情報を速く及び効率的に取得し得、ユーザは、決定を行うための参照情報として多次元データ情報を使用し得る。したがって、本出願によって提供される方法は、チケット検索に関してユーザに利便性を提供し得、したがって、ユーザ体験を改善する。
【００４２】
本出願に従ったチケット検索ベース情報提供方法は、特定の実施形態によって下記に詳細に紹介され及び示される。
【００４３】
図１は、本出願の実施形態１による、チケット検索ベース情報提供方法のフローチャートである。図１を参照すると、本方法は以下のステップを含み得る。
【００４４】
ステップＳ１０１では、クライアント端末は、ユーザのチケット検索要求を受信し、検索要求は検索目的地を含む。
【００４５】
本出願の実施形態に従った方法が適用されるシナリオは、旅行関連シナリオに事前設定され得、より具体的には、旅行行動に含有されるチケットクエリ及び検索等のシナリオであり得る。例えば、ユーザは、ある場所への旅行時間についてのいくつかの参照情報が提供され得、それにより、ユーザは、本方法が実施されるプラットフォームに従って、旅行時間及び旅行手配を速く及び便利に判定し得る。したがって、本方法は、主に、ユーザの旅行に含有されるシナリオ及び例を紹介することによって、本出願の実施形態に詳細に紹介及び説明される。
【００４６】
旅行時間及びチケット検索のシナリオでは、本方法は、判定された旅行先に基づいて開発された設計に適用され、ひいては、本方法のステップは、最初に、ユーザによって選択された旅行先を判定及び取得するはずである。
【００４７】
例えば、チケットが航空チケットであるとき、航空チケット予約または航空チケット検索のシナリオでは、ユーザの検索要求を最初に判定し、検索要求は検索目的地を含める必要がある。いったん検索目的地が判定されると、検索目的地に関する関連情報をクエリ及び取得し得る。いったんユーザが旅行先を選択すると、ユーザが旅行先を判定していることを示し、出発日の選択は本出願の実施形態の注目点である。したがって、次のステップ及び他の情報の取得は、目的地の入力ボックスにユーザによって入力または選択された目的地によって判定され得る。
【００４８】
検索要求がユーザの意図のある要求であり、検索要求の対応する入力ボックス内にユーザによって入力される目的地情報であり得る、または、システムによって事前設定された一般的な目的地から選択され得る、また、クライアント端末は、最終的に、入力または選択されたかどうかに関わらず、チケット検索に関するユーザの要求を受信することに留意されたい。
【００４９】
さらに図１を参照すると、ステップＳ１０２では、検索する旅行先及び検索期間は、検索目的地に従って判定される。
【００５０】
本ステップは、検索目的地に従って、旅行先及び検索期間を判定するプロセスである。複数の場所の対応関係を記憶する場所データベースは、検索結果がユーザによって入力された場所に関して取得され得ることを確実するように事前に構成され得る。ユーザによって入力された検索目的地が受信された後、場所データベースの対応関係に従って、検索目的地に関連付けられた旅行先を判定し得る。本ステップは、クライアント端末内で、またはサーバ端末側で行われ得る。本ステップがサーバ端末側で行われるとき、場所データベースはサーバ端末内に配置される。しかしながら、チケット検索シナリオでは、出発地が本ステップでさらに必要となる。ユーザが出発地情報を入力すると、ユーザによって入力または選択された出発地は、チケット検索の出発地として使用される。ユーザが出発地を選択または入力しないとき、ユーザが位置する現在の都市または場所は、端末の場所情報によって、チケット検索の出発地として取得され、または本システムの初期設定場所は、出発地として使用され得る。
【００５１】
本ステップで判定された旅行先及び検索目的地は、同じ場所または異なる場所であり得る。例えば、ユーザの検索場所がパリであるとき、ユーザの旅行目的先はパリであることを示し、この場合、検索目的地は旅行先と一致している。
【００５２】
加えて、また、ユーザの検索目的地の関連チケット情報がない可能性があり、この場合、以下の様式で実施され得る。最初に、検索目的地がチケット関連情報を有するかどうかを判定し、判断結果が否定的である場合、検索目的地の関連都市を取得する。関連都市は、検索目的地との階層関係がある都市、検索目的地との地域的関連性がある都市、及び検索目的地に隣接する都市のうちの１つ以上の組み合わせを含み、次に、旅行目的地は、検索目的地の関連都市に従って判定される。
【００５３】
例えば、関連都市が検索目的地との階層関係がある都市であり、検索目的地が日本であるとき（日本は国名である）、その場合、ユーザの旅行目的地は、日本の都市の１つであることを示す。日本国に属する都市を検索し得る、すなわち、検索目的地が旅行先と異なる場合、以下の様式で検索目的地に従って、旅行先を判定し得る。最初に、検索目的地が国名である場合、当該国に属する特定の都市は、検索目的地に従って取得され、次に、旅行先は、取得された都市に従って判定される。
【００５４】
図２は、実施形態１に提供される方法を航空チケットシナリオに適用する概略図である。図２を参照すると、図２に示され得るように、日本を検索入力ボックスに入力した後、それに応じて、日本の東京、大阪、及び札幌が検索結果として表示される。この場合、検索目的地は日本であり、旅行先は３つの都市、東京、大阪、及び札幌の１つであり得る。したがって、ユーザが日本への旅行を検索するとき、対応する航空路日付クエリ命令はアクティブになり、対応する情報は、入力された旅行先に従って取得される。
【００５５】
検索期間は、さらに、検索目的地の判定に加えて判定されることが必要となる。
【００５６】
検索期間は、ある期間における旅行先の関連情報を取得及び提示する前提条件である。チケット検索のプロセスは、ある期間における旅行先の関連情報に関する検索である。
【００５７】
様々な様式で検索期間を判定し得、２つの一般的な様式では、１つは、システムによって設定された初期設定期間に従って、検索期間を判定する。本システムは、ある期間を検索期間として事前設定し得る。例えば、本システムは、初期設定検索期間が１年であり、数ヶ月を単位として計算されることを設定し得る。この様式で検索期間を判定することは、ユーザの選択動作を節約し得、したがって、動作を簡略化しユーザの時間を節約し、ユーザ体験を改善し得る。
【００５８】
検索期間を判定する別の様式は、現在のシステム時間に従って、検索期間の検索開始日を判定することと、判定された検索開始日及び初期設定で設定された検索時間長さに従って検索期間の検索終了日を判定することと、数日または数ヶ月を単位として、検索時間長さを計算することと、を含む。
【００５９】
上記の様式で検索期間を判定することは、ユーザがより自由に選択することを可能にし、ユーザは、実際の要求に従って、検索期間を選択し得る。検索期間は、概して、システム時間に従って開始し、検索終了日は検索時間長さに従って判定される。
【００６０】
例えば、検索期間が数ヶ月で計算されるとき、現在のシステム時間が１２月１５日である場合、検索開始日が１２月に設定され、検索時間長さが１２カ月に設定されるとき、それは、その年の１２月から来年の１１月まで続き、したがって、検索終了日は来年の１１月である。したがって、検索期間は、今年の１２月から来年の１１月までとして定義される。
【００６１】
別の例に関して、検索期間が数日で計算されるとき、現在のシステム時間が１２月１５日である場合、検索時間長さが２カ月に設定され、それに応じて、検索終了日は来年の２月１５日である。検索時間長さが１０日間に設定される場合、検索終了日は１２月２５日である。
【００６２】
検索期間が第２の様式で判定されるとき、その検索時間長さは、より柔軟であることに留意されたい。
【００６３】
さらに図１を参照すると、ステップＳ１０３では、検索期間の旅行先に関連する第１の情報及びチケット情報は、旅行先及び検索期間に従って取得される。
【００６４】
本ステップは、旅行先に関連する第１の情報及びチケット情報を取得するプロセスであり、第１の情報、チケット情報等は、判定された旅行先に従って取得される。第１の情報及びチケット情報は、チケット検索において、貴重な参照情報をユーザに提供し得る。ユーザは、第１の情報及びチケット情報に従って、他のプラットフォームを検索することによって、情報を別個に取得しないで、旅行の決定を行い得る。したがって、第１の情報及びチケット情報の取得は、最大の程度まで、ユーザに利便性を提供し得る。本ステップは、クライアント端末内で、またはサーバ端末側で行われ得る。本ステップがサーバ端末側で行われるとき、第１の情報を記憶するデータベースはサーバ端末内に配置される。
【００６５】
第１の情報及びチケット情報は、下記に紹介され及び示される。
【００６６】
チケット情報は、検索期間の様々な検索時点における旅行先までのチケット価格を含む。加えて、チケット価格の変動傾向は、さらに、検索期間の様々な検索時点におけるチケット価格に従って判定され得、変動傾向は次の提示ステップで提示される。
【００６７】
加えて、第１の情報は多次元データであり、また、検索期間において時間が変化するにつれて、それに応じて多次元データは変動し、変動は、また、変動傾向チャートによって提示される。
【００６８】
第１の情報及びチケット情報の変動傾向を提示する様式は、次のステップで詳細に紹介され及び示される。
【００６９】
検索期間の旅行先に関連する第１の情報及びチケット情報を取得するステップでは、第１の情報及びチケット情報は、各々、検索期間の様々な検索時点に従って取得され、当該時点は、単なる特定時点ではないが、事前設定された単位期間を指すことに留意されたい。例えば、時点は暦月であり得、各暦月に対応する第１の情報及びチケット情報は、時間単位として、暦月を解釈することによって取得され得る。加えて、また、時点は１日であり得、各日に対応する第１の情報及びチケット情報は、時間単位として各日を取得することによって取得され得る。
【００７０】
したがって、本出願の実施形態の様々な検索時点は、検索期間を分割することによってもたらされたいくつかの期間として解釈されるはずである。分割基準は、概して、１カ月または１日等を単位として解釈するように、ユーザの一般的な好みを指す。時点が暦月であるとき、検索期間は、１２の暦月を含む暦月であり得る。それに応じて、時点が日数であるとき、各月に含まれる日数を計算単位として使用し得る。
【００７１】
加えて、上記に紹介したように、第１の情報は、旅行先の天気情報、旅行先の旅行者数情報、旅行先のイベント情報等のうちの１つ以上の組み合わせを含み得る。リストにある情報は、別個に、または複数の情報の組み合わせで存在し得る。
【００７２】
例えば、第１の情報が様々な検索時点における旅行先の天気情報を含む場合、検索期間の旅行先に関連する第１の情報を取得することは、検索期間の様々な検索時点における旅行先の天気情報と、天気情報の変動傾向とを取得することを含む。
【００７３】
天気情報は、主に、温度を含む。温度が旅行に大きい影響を及ぼすため、特にユーザの旅行に関して事前に旅行先の天候を知ることは重要な要素である。
【００７４】
さらに、天気情報は、データベースから、または、サーバ端末の気象環境システムによって取得され得る。例えば、ユーザＡの旅行先がタイであるとき、タイの１年の各月の平均温度は、気象環境システムによって取得され得る。平均温度は参照情報であり、１年毎の各暦月の平均温度は、概して、大きく変動しない。
【００７５】
天気情報である第１の情報は上記に紹介され、加えて、第１の情報は、さらに、旅行先の旅行者数情報を含み得る。旅行者数情報は、ある時点における旅行先の旅行者数を反映し、旅行先のオフシーズンまたはピークシーズンを間接的に反映し得る。人がより少ないとき、訪問者は旅行することをより選ぶ傾向がある。したがって、旅行者数情報は、また、重要な参照情報である。
【００７６】
それに応じて、検索期間の旅行先に関連する第１の情報を取得することは、検索期間の様々な検索時点における旅行先の実旅行者数を取得することと、検索期間の様々な検索時点における旅行先の予測旅行者数を取得することと、実旅行者数及び予測旅行者数に従って、検索期間の様々な検索時点における旅行先の旅行者数情報と、検索期間における旅行者数情報の変動傾向とを判定することと、を含む。
【００７７】
具体的には、検索期間の様々な検索時点における旅行先の予測旅行者数を取得することは、旅行プラットフォームに基づいて、旅行先を検索する独立訪問者数を取得することと、独立訪問者数を予測旅行者数として使用することと、を含み、実旅行者数及び予測旅行者数に従って、検索期間の様々な検索時点における旅行先の旅行者数情報及び検索期間における旅行者数情報の変動傾向を判定することは、実旅行者数及び独立訪問者数を旅行者数情報として追加することと、検索時間の様々な検索時点における旅行者数情報に従って、検索期間における旅行者数情報の変動傾向を判定することと、を含む。
【００７８】
独立訪問者数が旅行先に行きたい人の旅行プランに反映し、予測旅行者数に反映しすることに留意されたい。多くの目的地検索は、ある場所に旅行することを目標としている。したがって、独立訪問者数は、ある程度まで旅行先の人気を反映し得る。
【００７９】
加えて、目的地における対応する旅行者数は、多くのプラットフォームからクエリされ得る。例えば、旅行している人の数は、プラットフォーム馬蜂窩（Ｍａｆｅｎｇｗｏ）から取得され得る。次に、独立訪問者数及び旅行者数は、適宜、対応する単位期間で旅行者数情報を取得するために計算される。
【００８０】
事前設定された計算様式で独立訪問者数及び実旅行者数に従って、旅行先の旅行者数情報を計算することにおいて、事前設定された計算様式は、独立訪問者数及び実旅行者数を追加すること、または各々、実旅行者数及び予測旅行者数に関する対応する重み付けを設定することと、重み付けされた独立訪問者数及び重み付けされた実旅行者数を追加することによって、最終的な旅行者数を取得することと、を含む。
【００８１】
その２つを追加することは理解し易く、両方は、旅行先に対応する旅行者数を反映し得る。２つを直接追加することに加えて、また、重みに従って、計算を行い得る。
【００８２】
例えば、独立訪問者数のユーザは、検索を行うだけであり、実際に、検索した場所に旅行しない場合がある。したがって、検索を行う全てのユーザが実際にその場所に旅行するわけではないため、重み付けを設定し得る。例えば、独立訪問者数の７０％が実際の旅行者になるように設定され、対応する重みは、また、プラットフォーム馬蜂窩（Ｍａｆｅｎｇｗｏ）から取得された旅行者数に割り当てられ得、最終的な追加計算は重みに従って行われる。
【００８３】
第１の情報及びチケット情報は、様々な様式で取得され得、その様式の１つは、地方に関する収集された第１の情報及びチケット情報を地方情報として保存し得る。別の様式では、対応する要求はサーバに送信され、第１の情報及びチケット情報は要求に従って取得され、サーバはそれらの情報をクライアント端末に送信し、このように、情報を及びチケット情報を取得する。
【００８４】
加えて、第１の情報は、さらに、旅行先のイベント情報を含み得る。イベント情報は、旅行先の慣習的休日情報、旅行先のオフまたはピークの旅行シーズン情報、旅行先の推奨の旅行アトラクション情報、及び旅行先の開花シーズン情報のうちの１つ以上の組み合わせを含む。
【００８５】
上記のイベント情報は識別情報によって表示され得、表示の特定形態を次のステップで示し得ることに留意されたい。識別情報は、イベント情報を具体化し、ユーザが対応するイベント情報を識別することを容易にし得る。
【００８６】
加えて、取得されるレベル情報は、チケット情報に従って、さらに処理され得る。例えば、暦月の航空チケット価格が１，５００元であるとき、その月の航空チケット価格は暦年でより低く、その上、暦月の航空チケット価格のレベルを「より低く」設定し得る。対照的に、暦月に関する航空チケット価格が５，０００元である場合、それは、暦月に関する航空チケット価格のレベルが「より高い」ことを示す。類推によって、第１の情報に含まれる情報は、また、レベル情報によって表され得る。例えば、温度、ホテル価格等は、各々、参照をユーザに提供するために、対応するレベルに設定し得る。
【００８７】
図１をさらに参照すると、ステップＳ１０４では、検索結果の第１のユーザインタフェースが表示され、第１のユーザインタフェースは第１の情報表示エリア及びチケット情報表示エリアを含む多次元データ提示エリアを含み、検索期間の旅行先に関連する第１の情報は第１の情報表示エリア内に表示され、チケット情報はチケット情報表示エリア内に表示される。
【００８８】
そのステップは、第１のユーザインタフェースを表示し、上記のステップの検索結果は第１のユーザインタフェース上に表示される。さらに、第１のユーザインタフェースは多次元データ提示エリアを含み、多次元データ提示エリアは第１の情報表示エリア及びチケット情報表示エリアを含み、対応する情報は対応するエリアに表示される。
【００８９】
第１の情報及びチケット情報は多次元データを形成し得ることに留意されたい。形成された多次元データは多次元データ提示エリア内に提示され得る。さらに、多次元データは、さらに、対応する変動傾向チャートを有する。多次元データ及び変動傾向は、両方とも、様々な提示様式で多次元データ提示エリア内に提示され得、特定の実施形態によって下記に紹介され及び示される。
【００９０】
最初に、チケット価格の変動傾向チャートはチケット情報表示エリアに表示され、検索期間の第１の情報の変動傾向は第１の情報表示エリア内に表示される。
【００９１】
具体的には、チケット価格の変動傾向チャートは、バーチャート、カラムチャート、及びラインチャートのうちの１つに提示される。第１の情報の変動傾向は、バーチャート、カラムチャート、円グラフ、及びラインチャートのうちの１つまたは組み合わせを使用する。
【００９２】
チャートは、統計情報属性（時間、量等）を視覚的に表示し、情報の知識マイニング及び直感的視覚の重要の役割を果たし得るグラフ構造を指し、オブジェクト属性データを直感的に及び鮮やかに「視覚化」する良い方策である。ある物の現象またはある考えの抽象的アイディアは、図または表によって示され得る。
【００９３】
バーチャート、カラムチャート、ラインチャート、及び円グラフは、最も一般的な基本型の４つのチャートである。これらの４つのチャートは、全て、第１の情報の変動傾向チャートに適用され得る。加えて、また、エリアマップ及びバブルチャート等のグラフを使用し得る。
【００９４】
チケット価格の変動傾向チャートは、バーチャート、カラムチャート、またはラインチャートによって示される。
【００９５】
具体的には、第１の情報は、天気情報、旅行者数情報、及びホテル情報のうちの１つ以上の組み合わせを含む。
【００９６】
第１の情報が天気情報を含むとき、検索期間の旅行先の天気情報の変動傾向チャートは、第１の情報表示エリア内に表示される。それに応じて、第１の情報表示エリア及びチケット情報表示エリアを含む多次元データ表示エリアは、多次元データ表示エリア内では、検索期間におけるチケット価格の変動傾向チャート及び天気情報の変動傾向チャートを提示することと、チケット価格の変動傾向チャート及び天気情報の変動傾向チャートを集約及び重ね合わせによって同じチャートに提示することと、を含む。
【００９７】
第１の情報が検索期間の様々な検索時点における旅行先の旅行者数情報を含むとき、検索期間の様々な検索時点における旅行先の旅行者数情報の変動傾向チャートを第１の情報表示エリア内に表示する。
【００９８】
それに応じて、第１の情報表示エリア及びチケット情報表示エリアを含む多次元データ表示エリアは、多次元データ表示エリア内で、検索期間におけるチケット価格の変動傾向チャート及び旅行者数情報の変動傾向チャートを提示することと、チケット価格の変動傾向チャート及び旅行者数情報の変動傾向チャートを集約及び重ね合わせによって同じチャートに提示することと、を含む。
【００９９】
第１の情報が１種類の情報であるときに提示用のチケット情報と第１の情報を集約する様式が上記に説明される。第１の情報が複数の種類の情報であるときに提示用のチケット情報と第１の情報を集約する様式が、下記に紹介され及び示される。
【０１００】
検索期間におけるチケット価格の変動傾向チャート及び第１の情報の変動傾向チャートは、多次元データ表示エリア内に表示され、チケット価格の変動傾向チャート及び第１の情報の変動傾向チャートは、集約及び重ね合わせによって同じチャートに異なる提示様式で提示され、提示様式はカラムチャート及びラインチャートを含む。
【０１０１】
何種類の情報が第１の情報に含まれるかに関係なく、第１の情報及びチケット情報から成る情報は多次元データに属し、ひいては、各種類の情報は、異なるチャートで提示され得る。同じ図では、いくつかの異なるチャートは、合成図を形成するように、このように集約及び重ね合わせられる。
【０１０２】
集約及び重ね合わせは、下記に定義され及び示される。集約及び重ね合わせが行われた後の合成チャートは同じ横軸を有し得、横軸は時間軸として定義され得る。時間軸の座標は、検索期間の様々な検索時点を表す、検索時点は、時系列で並べられる。横軸は、異なるチャートで示されるデータに対応するデータ単位に基づき得る。
【０１０３】
例えば、チケット価格の変動傾向チャートは、カラムチャートによって示される。カラムチャートの横軸は時間軸であり、カラムチャートの縦軸はチケット価格である。それに応じて、第１の情報の天気情報（気温）がラインチャートによって示されるとき、ラインチャートの横軸は時間軸であり、縦軸は気温である。しかしながら、カラムチャート及びラインチャートが集約及び重ね合わせられるとき、それらのチャートは、横軸の時間軸の座標に基づいて重ね合わせられる。
【０１０４】
具体的には、図３は、本出願の実施形態１による、第１の情報及びチケット情報の提示の概略図であり、図４は、本出願の実施形態１による、イベント情報提示の概略図である。図３及び図４を参照して、例として、旅行先がバンコクであることを考慮することによって例証が行われている。
【０１０５】
図３に示されるように、１月から１２月のそれぞれの月は、検索期間の各々の検索時点、すなわち、時間軸の座標である。チケット価格の変動傾向は、カラムチャートによって提示される。温度の変動傾向及び旅行者数の変動傾向はラインチャートによって示され、２つのラインチャートを区別するために、温度の変動傾向及び旅行者数の変動傾向は、各々、点線及び実線によって示される。
【０１０６】
図３では、時間軸の座標が固定され、対応するデータ情報は、各々、異なるチャート形状によって示される。ユーザは、変動傾向の合成チャートに従って大量の情報を直感的に取得し、大量の情報に従って航空チケット予約に関する日時を判断及び決定し得る。
【０１０７】
加えて、ホテル情報が紹介されていないが、ホテル情報は、上記のチケット価格及び天気情報に基づいて推定され得る。ホテル情報は、ホテル価格、ホテル場所、及びホテル評価等の情報を含み得、当該情報は、上記に説明したようなチャートで提示され、同じチャート上にチケット価格変動傾向チャートと集約及び重ね合わせられ得る。したがって、ユーザは、多次元データを便利に視認及び比較し得る。
【０１０８】
図３を参照すると、１年間の平均月間チケット価格が取得されている。１年間のバンコクの航空チケットデータが航空チケット価格事業者からアクセスされ、月間平均価格に従って、コラムを形成するように集約される。１年間のバンコクの平均月間温度が取得されている。バンコクの月毎の平均温度は、点チャートを形成するように目的地から取得されている。バンコクの月毎の平均数が取得されている。馬蜂窩（Ｍａｆｅｎｇｗｏ）から取得した旅行している人の数に加えて、飛行機旅行プラットフォームのバンコクのＵＶを検索することによって、集約は、バンコクの各月の訪問者数を形成することによって、月毎に行われる。最終的に、上記の３つのチャートは、図３に示されるように、大きいチャートを形成するように、チケット価格をハイライトすることによって提示するために集約される。
【０１０９】
加えて、第１の情報が旅行先のイベント情報を含むとき、イベント情報は、以下の様式で第１のユーザインタフェース上に提示される。
【０１１０】
検索期間の識別情報によって提示されるイベント情報は、第１の情報表示エリア内に表示される。それに応じて、検索期間におけるチケット価格及びイベント情報の識別情報の変動傾向チャートは、当該多次元データ表示エリア内に提示される。
【０１１１】
旅行先の慣習的休日情報、旅行先のオフまたはピークの旅行シーズン情報、旅行先の推奨の旅行アトラクション情報、及び旅行先の開花シーズン情報等は、第１の情報提示エリア内に提示され得る。加えて、識別情報は、イベント情報に関して設定され得る。例えば、対応するイベント情報は、識別情報によってカレンダー内に提示され得る。
【０１１２】
具体的には、例えば、「桜」のロゴは、ユーザが便利に視認し易いように、カレンダー内に示されるように、カレンダー内の桜の開花の開花シーズン情報として使用され得る。
【０１１３】
図４は、イベント情報提示の概略図である。例えば、図４に示されるように、検索期間のある検索時点の特定の紹介及び対応する祭りの紹介等があり得、上記の情報はイベント情報に属する。加えて、いくつかのレベルの情報があり得、例えば、３月の北京からバンコクまでの航空チケットの価格がより安く、ホテル価格がより安く、旅行者の数はより多く、他のレベルのメッセージがあり得る。
【０１１４】
加えて、第１の情報及びチケット情報は、様々な様式で表示され得る。例えば、今月の第１の情報及びチケット情報はハイライトされる。
【０１１５】
具体的には、現在のシステム時間を事前に取得する。そのとき、検索期間の旅行先に関連する第１の情報を第１の情報表示エリア内にハイライトして表示し、チケット情報をチケット情報表示エリア内にハイライトして表示する。
【０１１６】
例えば、図２の８月及び図３の９月は、他の月よりも目立つスタイルでハイライトされる。
【０１１７】
さらに、対応する検索結果を第１のユーザインタフェース内に表示することに加えて、さらなる動作は、検索結果に関して行われ得る。随意に、検索結果の第１のユーザインタフェースを表示した後に、本方法は、
ユーザの観察要求を受信することであって、観察要求は検索期間の期間に関する観察行動を含む、当該受信することと、観察要求に従って、当該期間に含まれる特定時間に対応する第２の時間及びチケット情報をクエリすることと、観察結果の第２のユーザインタフェースを表示することであって、第２のユーザインタフェースは第２の情報表示エリア及びチケット情報表示エリアを含み、特定時間に対応する旅行先に関連する第２の情報は第２の情報表示エリア内に表示され、チケット情報はチケット情報表示エリア内に表示される、当該表示することと、を含む。
【０１１８】
例えば、現在の第１のユーザインタフェースの図３の場合であるとき、単位期間は暦月であり、しかしながら、ユーザが暦月の特定日を知る必要があるとき、暦月は、対応する観察動作によって、日数によって形成される第２のユーザインタフェースに拡張され得、第２のユーザインタフェースから、ユーザは対応する情報を取得し得る。
【０１１９】
上記は、本方法によって対応する情報を取得し、その情報をユーザインタフェースに表示するプロセスである。したがって、本方法は、ユーザの決定に影響を及ぼす主要要因を抽出することと、様々な次元の決定要因を月毎（単位期間）に要約することと、異なる次元のチャート集約アイコンを形成することと、を含む。したがって、ユーザは、便利に比較し、いくつかの主要決定情報結論が提供され得、したがって、様々なチャネルで検索するためにかかるユーザの時間を節約し、ユーザが旅行時間を決定することを助ける。
【０１２０】
本出願によって提供される方法は様々なシナリオに適用され得、適用シナリオは飛行機旅行適用を含む。
【０１２１】
加えて、本方法は、ユーザが航空チケットを購入するシナリオで、ユーザがより正確な判断及び決定を行うことを助け得るだけではなく、機能を１つのモジュールに統合し、その機能を他のサービス及びシナリオに出力することも行い得る。例えば、モジュールが航空チケットサービスに組み込まれ得るだけではなく、シンプルなバージョンとして、休暇シナリオ及び目的地シナリオに出力され得ることも行われる。この理由として、休暇シナリオ及び目的地シナリオにあるユーザは、また、バンコク等の目的地に興味があり、価格、天候、及び地域状況が適切である限り、いかなる時でもその目的地に行き得る。
【０１２２】
要するに、本発明では、旅行先に関連する第１の情報及びチケット情報は旅行先に従って取得され、当該情報は、ユーザに貴重な参照情報を提供し得、また、目的地まで旅行するために考慮されるいくつかの重要なキー情報である。概して、ユーザは、第１の情報及びチケット情報に従って、ユーザの旅行条件を満たしているかどうかを判断し得る。したがって、取得された第１の情報及びチケット情報等を含む多次元複合情報により本出願によって提供される方法によって、本方法は、ユーザが様々な観点から旅行時間を決定することを支援し得、情報検索のユーザ体験を改善し得る。本方法は、サーバ端末とクライアント端末との間の相互作用の頻度及びサーバ端末を経由したクエリの頻度を減らし、したがって、サーバの負担を減らす。その一方で、ユーザは、より便利に、より簡単に、及びより速く、時間を選択し得、したがって、ユーザの予見能力を高め、ユーザ体験を改善する。
【０１２３】
チケット検索ベース情報提供方法は、さらに、本出願の実施形態２に提供され、サーバ端末の動作を強調する。
【０１２４】
特定の動作ステップに関して、図５を参照いただきたい。図５は、本出願の実施形態２による、チケット検索ベース情報提供方法のフローチャートである。本方法では、データベースが提供され、検索目的地、旅行先、及び検索目的地または旅行先に関連する第１の情報を含み、第１の情報は多次元情報を含む。
【０１２５】
具体的には、本方法は以下のステップを含む。
【０１２６】
ステップＳ５０１では、旅行先及び検索期間を含む情報収集要求が受信される。
【０１２７】
本ステップはサーバがクライアント端末の要求を受信するプロセスであり、情報収集要求は旅行先に関連するいくつかの情報を含む。
【０１２８】
さらに図５を参照すると、ステップＳ５０２では、検索期間の旅行先に関連する第１の情報及びチケット情報は、旅行先及び検索期間に従って取得される。
【０１２９】
本ステップは、サーバが受信された要求に従って情報を収集するプロセスであり、収集された情報は第１の情報を形成する。
【０１３０】
データベース内の検索目的地と旅行先との間の関係に従って、旅行先を判定する。検索目的地は、旅行先に一致し得る、または旅行先に一致しない場合がある。
【０１３１】
上記の要求に含有される情報に関して、取得した第１の情報は、天気情報、旅行者数情報、及びホテル価格情報等のうちの１つ以上の組み合わせを含む。
【０１３２】
チケットが航空チケットを含み、チケット情報が検索期間の航空チケット価格を含み、検索期間の旅行先に関連するチケット情報を取得することは、検索期間の様々な検索時点における旅行出発地から旅行先までの航空チケットの価格を取得することを含むことに留意されたい。
【０１３３】
第１の情報は旅行先の天気情報を含み、天気情報を集める方法は、検索期間の様々な検索時点における旅行先の天気情報を、データベースから収集することを含む。
【０１３４】
第１の情報は旅行先の旅行者数情報を含み、旅行者数情報は、検索期間の様々な検索時点における旅行先の実旅行者数をデータベースから収集することと、検索期間の様々な検索時点における旅行先の予測旅行者数をデータベースから収集することと、実旅行者数及予測旅行者数に従って、検索期間の様々な検索時点における旅行者数情報を判定することとによって集められる。
【０１３５】
第１の情報は旅行先の旅行者数情報を含み、旅行者数情報は、検索期間の様々な検索時点における旅行先の実旅行者数をデータベースから収集することと、検索期間の様々な検索時点における旅行先の予測旅行者数をデータベースから収集することと、実旅行者数及予測旅行者数に従って、検索期間の様々な検索時点における旅行者数情報を判定することとによって集められる。
【０１３６】
第１の情報及びチケット情報を取得する方法は、本出願の実施形態１によって提供される第１の情報及びチケット情報を取得する方法と同じである。この部分を紹介するために、実施形態１の説明の一部を参照し得る。
【０１３７】
さらに図５を参照すると、ステップＳ５０３では、検索期間の旅行先に関連する第１の情報及びチケット情報を含む情報取得応答を送信する。
【０１３８】
本ステップは、検索期間における旅行先に関連する第１の情報及びチケット情報をクライアント端末に送信し、クライアント端末がユーザインタフェース上に第１の情報及びチケット情報を表示することを容易にするプロセスであり、それにより、ユーザは、第１の情報及びチケット情報に従って、旅行日を視認及び決定し得る。
【０１３９】
加えて、情報取得応答を送信した後に、以下の動作が行われる。
時間オブジェクトに関する観察要求が受信されたかどうかを判定することであって、観察要求は、観察要求の時間オブジェクトに対応するエリアを含む、当該判定することと；受信されたと判定された場合、観察要求の時間オブジェクトに従って、時間オブジェクトに対応する第２の情報及びチケット情報をクエリすることと；時間オブジェクトに対応する第２の情報及びチケット情報を含む観察応答を送信することであって、第２の情報は第１の情報に関連する情報である、当該送信することとが行われる。
【０１４０】
第１の情報が旅行先のホテル価格情報を含む場合、ホテル価格情報を取得する方法は、ホテル予約システムに従って、目的地の暦月毎の平均ホテル価格を取得することを含む。ホテル価格は、暦月の平均価格または最低価格のいずれかであり得る。
【０１４１】
チケット検索ベース情報提供方法は上記の実施形態１に提供され、それに応じて、チケット検索ベース情報提供デバイスは、さらに、本出願の実施形態３に提供される。図６を参照すると、本出願の実施形態３による、チケット検索ベース情報提供デバイスの実施形態の概略図が示される。本方法の実施形態と同様であるため、本デバイスの実施形態は比較的簡単な様式で説明され、関連箇所に関して、本方法の実施形態に説明される箇所を参照し得る。以下に説明されるデバイスの実施形態は、単なる概略である。
【０１４２】
本実施形態のチケット検索ベース情報提供デバイスは、
ユーザのチケット検索要求を受信するように構成されている受信ユニット６０１であって、検索要求は検索目的地を含む、受信ユニット６０１と、
検索目的地に従って、検索する旅行先及び検索期間を判定するように構成されている判定ユニット６０２と、
旅行先及び検索期間に従って、検索期間の旅行先に関連する第１の情報及びチケット情報を取得するように構成されている取得ユニット６０３と、
検索結果の第１のユーザインタフェースを表示するように構成されている表示ユニット６０４であって、第１のユーザインタフェースは第１の情報表示エリア及びチケット情報表示エリアを含む多次元データ提示エリアを含み、検索期間の旅行先に関連する第１の情報は第１の情報表示エリア内に表示され、チケット情報はチケット情報表示エリア内に表示される、表示ユニット６０４と、
を含む。
【０１４３】
随意に、判定ユニットは、
検索目的地がチケット関連情報を有するかどうかを判断するように構成されている判定サブユニットと、
判定サブユニットの判断結果が否定的であるとき、検索目的地の関連都市を取得するように構成されている関連都市取得サブユニットであって、関連都市は、検索目的地との階層関係がある都市、検索目的地との地域的関連性がある都市、及び検索目的地に隣接する都市のうちの１つ以上の組み合わせを含む、当該関連都市取得サブユニットと、
検索目的地の関連都市に従って、旅行先を判定するように構成されている目的地判定サブユニットと、
を含む。
【０１４４】
随意に、チケットは航空チケットであり、第１の情報は、天気情報、旅行者数情報、及びホテル情報のうちの１つ以上の組み合わせを含み、
検索期間におけるチケット価格の変動傾向チャート及び第１の情報の変動傾向チャートは、多次元データ表示エリア内に表示され、
チケット価格の変動傾向チャート及び第１の情報の変動傾向チャートは、集約及び重ね合わせによって同じチャートに異なる提示様式で提示され、提示様式はカラムチャート及びラインチャートを含む。随意に、表示ユニットは、具体的には、
異なる形状によって、各々、多次元情報を識別するように構成されている識別サブユニットと、
同じ日に基づく時系列で同じチャートに提示される異なる形状で識別される多次元情報を重ね合わせるように構成されている重ね合わせ及び提示サブユニットと、を含む。
【０１４５】
加えて、チケット検索ベース情報提供方法は上記の実施形態２に提供され、それに応じて、チケット検索ベース情報提供デバイスは、さらに、本出願の実施形態４に提供される。図７を参照すると、本出願の実施形態４による、チケット検索ベース情報提供デバイスの実施形態の概略図が示される。本方法の実施形態と同様であるため、本デバイスの実施形態は比較的簡単な様式で説明され、関連箇所に関して、本方法の実施形態に説明される箇所を参照し得る。以下に説明されるデバイスの実施形態は、単なる概略である。
【０１４６】
本実施形態のチケット検索ベース提供デバイスはデータベースが提供され、検索目的地、旅行先、及び検索目的地または旅行先に関連する第１の情報を含み、第１の情報は多次元情報を含む。本デバイスは、
旅行先及び検索期間を含む情報収集要求を受信するように構成されている受信ユニット７０１と、
旅行先及び検索期間に従って、検索期間の旅行先に関連する第１の情報及びチケット情報を集めるように構成されている取得ユニット７０２と、
検索期間の旅行先に関連する第１の情報及びチケット情報を含む情報取得応答を送信するように構成されている送信ユニット７０３と、を含む。
【０１４７】
随意に、第１の情報が旅行先の天気情報を含むとき、取得ユニットは、具体的には、検索期間の様々な検索時点における旅行先の天気情報を、データベースから収集するように構成されている。
【０１４８】
随意に、第１の情報が旅行先の旅行者数情報を含むとき、取得ユニットは、
検索期間の様々な検索時点における旅行先の実旅行者数をデータベースから集めるように構成されている実旅行者数サブユニットと、
検索期間の様々な検索時点における旅行先の予測旅行者数をデータベースから収集するように構成されている予測旅行者数サブユニットと、
実旅行者数及び予測旅行者数に従って、検索期間の様々な検索時点における旅行者数情報を判定するように構成されている旅行者数情報サブユニットと、を含む。
【０１４９】
随意に、本デバイスは、さらに、
情報取得応答を送信した後に時間オブジェクトに関する観察要求を受信するかどうかを判断するように構成されている判定ユニットであって、観察要求は観察要求の時間オブジェクトに対応するエリアを含む、当該判定ユニットと、
判定ユニットの判断結果が肯定的であるとき、観察要求の時間オブジェクトに従って、時間オブジェクトに対応する第２の情報及びチケット情報をクエリするように構成されているクエリユニットと、
時間オブジェクトに対応する第２の情報及びチケット情報を含む観察応答を送信するように構成されている送信ユニットであって、第２の情報は第１の情報に関連する情報である、当該送信ユニットと、
を含む。
【０１５０】
加えて、チケット検索ベース情報提供方法は、さらに、本出願の実施形態５に提供され、クライアント端末側で行われる。具体的には、本方法は以下のステップを含む。
クライアント端末によって、ユーザのチケット検索要求を受信することであって、検索要求は検索目的地を含む、当該受信することと、第２の検索要求をサーバ端末に送信することであって、第２の検索要求は、出発地と、検索目的地に従って判定された検索目的地に関連する旅行先及び検索期間とを含む、当該送信することと、サーバ端末によって戻された検索結果を受信することであって、検索結果は検索期間の旅行先に関連する第１の情報及びチケット情報を含む、当該受信することと、チケット検索要求に対応する検索結果の第１のユーザインタフェースを表示することであって、第１のユーザインタフェースは第１の情報表示エリア及びチケット情報表示エリアを含む多次元データ提示エリアを含み、検索期間の旅行先に関連する第１の情報は第１の情報表示エリア内に表示され、チケット情報はチケット情報表示エリア内に表示される、当該表示することと、が含まれる。
【０１５１】
本実施形態では、ユーザによって入力された検索目的地に従って旅行先を判定し、検索目的地に従って、検索目的地に関連する旅行先及び検索期間を判定するステップは、クライアント端末側で行われる。具体的には、クライアント端末側で場所データベースを設定し得、複数の場所間の対応関係を場所データベース内に記憶する。クライアント端末は、ユーザによって入力された検索目的地に従って、場所データベースの対応関係に従って検索目的地に関連付けられた旅行先を判定し得る。
【０１５２】
チケット検索シナリオでは、出発地は、さらに、第２の検索要求に含まれる。ユーザによって入力または選択された出発地は、チケット検索の出発地として使用され得る。ユーザが位置する現在の都市または場所は、また、端末の場所情報によって、チケット検索の出発地として取得され得る。あるいは、本システムの初期設定場所は、また、出発地として使用され得る。
【０１５３】
本実施形態の他のステップを紹介するために、本出願の実施形態１の対応する箇所の紹介及び例証を参照し得る。
【０１５４】
チケット検索ベース情報提供方法は、さらに、本出願の実施形態６に提供される。本方法はサーバ端末側で行われ、実施形態５に提供されるクライアント端末に対応する。具体的には、データベースが提供され、旅行先と、旅行先に関連する第１の情報とを含む。
【０１５５】
本方法は、クライアント端末によって送信された検索要求を受信することであって、検索要求は、出発地、旅行先、及び検索期間を含む、当該受信することと、検索期間の旅行先に関連する第１の情報及びチケット情報を取得することと、検索結果をクライアント端末に戻すことであって、検索結果は検索期間の旅行先に関連する第１の情報及びチケット情報を含む、当該戻すことと、を含む。
【０１５６】
本実施形態はサーバ端末で行われ、クライアント端末が検索目的地に従って旅行先を判定した後、クライアント端末は、検索要求をサーバ端末に送信し、検索要求は旅行先及び検索期間を含む。サーバ端末は、検索要求に従って、検索期間の旅行先に関連する第１の情報及びチケット情報を取得し、検索結果をクライアント端末に戻す。
【０１５７】
チケット検索ベース情報提供方法は、さらに、本出願の実施形態７に提供され、クライアント端末側で行われる。具体的には、本方法は以下のステップを含む。
クライアント端末によって、ユーザのチケット検索要求を受信することであって、検索要求は検索目的地を含む、当該受信することと、第２の検索要求をサーバ端末に送信することであって、第２の検索要求は、出発地、旅行先、及び検索期間を含む、当該送信することと、サーバ端末によって戻された検索結果を受信することであって、検索結果は検索期間の旅行先に関連する第１の情報及びチケット情報を含む、当該受信することと、チケット検索要求に対応する検索結果の第１のユーザインタフェースを表示することであって、第１のユーザインタフェースは第１の情報表示エリア及びチケット情報表示エリアを含む多次元データ提示エリアを含み、検索期間の旅行先に関連する第１の情報は第１の情報表示エリア内に表示され、チケット情報はチケット情報表示エリア内に表示される、当該表示することと、が含まれる。
【０１５８】
本実施形態及び実施形態５に提供される方法の違いは、検索目的地に従って旅行先及び検索期間を判定することがサーバ端末側で行われ、クライアント端末は第２の検索要求をサーバ端末に送信し、第２の検索要求は検索目的先及び検索期間を含む点である。サーバ端末は、検索目的地と旅行先との間の対応関係に従って、旅行先を判定する。
【０１５９】
本実施形態の他のステップに関して、本出願の実施形態１及び実施形態５の同一箇所の紹介及び例証を参照し得る。
【０１６０】
チケット検索ベース情報提供方法は、さらに、本出願の実施形態８に提供される。本方法はサーバ端末で行われ、実施形態７のクライアント端末に対応する。本方法は、旅行先、旅行先に関連する第１の情報、及び目的地間の対応関係を含むデータベースを提供する。
【０１６１】
本方法は、クライアント端末によって送信された検索要求を受信することであって、検索要求は、出発地、旅行先、及び検索期間を含む、当該受信することと、検索目的地に従って、検索目的地に関連する旅行先を判定することと、検索期間の旅行先に関連する第１の情報及びチケット情報を取得することと、検索結果をクライアント端末に戻すことであって、検索結果は検索期間の旅行先に関連する第１の情報及びチケット情報を含む、当該戻すことと、を含む。
【０１６２】
本実施形態は実施形態７のクライアント端末に対応し、サーバ端末はクライアント端末によって送信される検索要求を受信し、検索要求は検索目的地及び検索期間を含み、次に、サーバ端末は、検索目的地に従って、旅行先を判定する。
【０１６３】
具体的には、クライアント端末側で場所データベースを事前に設定し得、複数の場所間の対応関係を場所データベース内に記憶する。サーバ端末は、ユーザによって入力された検索目的地に従って、検索目的地との対応関係がある旅行先をデータベースから取得し得る。検索期間の旅行先に関連する第１の情報及びチケット情報は、判定された旅行先及び検索期間に従って取得され、検索結果は最終的にクライアント端末に戻される。
【０１６４】
本実施形態の他のステップに関して、上記の実施形態の同一箇所の紹介及び例証を参照し得る。
【０１６５】
本出願は好ましい実施態様によって上記に開示されているが、それらは、本出願を限定することが意図されていない。当業者は、本出願の主旨及び範囲から逸脱することなく、可能である変形及び修正を行い得る。本出願の保護範囲は、本出願の「特許請求の範囲」に定義される範囲に従うべきものである。
【０１６６】
一般的な構成では、コンピューティングデバイスは、１つ以上の中央処理装置（ＣＰＵ）、入／出力インタフェース、ネットワークインタフェース、及びメモリを含む。メモリは、揮発性メモリ、ランダムアクセスメモリ（ＲＡＭ）、及び／または不揮発性メモリ（例えば、読み取り専用メモリ（ＲＯＭ）またはフラッシュＲＡＭ）等のコンピュータ可読媒体を含む。メモリは、コンピュータ可読媒体の例である。
【０１６７】
コンピュータ可読媒体は、不揮発性媒体及び揮発性媒体と、可動及び非可動媒体とを含み、任意の方法または技術を用いて情報ストレージを実装し得る。当該情報は、コンピュータ可読命令、データ構造、及びプログラムまたは他のデータのモジュールであり得る。コンピュータ記憶媒体の例は、限定ではないが、相変化メモリ（ＰＲＡＭ）、スタティックランダムアクセスメモリ（ＳＲＡＭ）、ダイナミックランダムアクセスメモリ（ＤＲＡＭ）、他の種類のＲＡＭ、ＲＯＭ、電気的消去可能プログラム可能読み取り専用メモリ（ＥＥＰＲＯＭ）、フラッシュメモリもしくは他のメモリ技術、コンパクトディスク読み取り専用メモリ（ＣＤ−ＲＯＭ）、デジタル多用途ディスク（ＤＶＤ）もしくは他の光学式記憶装置、カセットテープ、磁気テープ／磁気ディスク記憶装置もしくは他の磁気記憶デバイス、または任意の他の非伝送媒体を含み、コンピューティングデバイスにアクセス可能である情報を記憶するために使用され得る。本文の定義に従って、コンピュータ可読媒体は、変調データ信号及び搬送波等の一過性媒体は含まない。
【０１６８】
当業者は、本出願の実施形態が、方法、システム、またはコンピュータプログラミング製品として提供され得ることを理解しているはずである。したがって、本出願は、完全なハードウェアの実施形態、完全なソフトウェア実施形態、またはソフトウェア及びハードウェアを組み合わせる実施形態の形態で実施され得る。さらに、本出願は、コンピュータ使用可能プログラムコードを含む１つ以上のコンピュータ使用可能記憶媒体（限定ではないが、磁気ディスクメモリ、ＣＤ−ＲＯＭ、または光メモリ等を含む）に実装されるコンピュータプログラム製品の形態であり得る。
【図１】
2020504409.tif 000003
【図２】
2020504409.tif 000004
【図３】
2020504409.tif 000005
【図４】
2020504409.tif 000006
【図５】
2020504409.tif 000007
【図６】
2020504409.tif 000008
【図７】
2020504409.tif 000009
【国際調査報告】
2020504409.tif 000010
2020504409.tif 000011
2020504409.tif 000012
2020504409.tif 000013